(57)【要約】    【課題】  マットレスの高さが変わっても傾角調整可能な背凭れ部その他の補助ボードを供えたベッド装置を提供すること。    【解決手段】  ベッド本体の一端側に立設されたヘッドボードに中間部材を介して補助ボードを連結し、前記中間部材は、前記ヘッドボード及び／または前記補助ボードに対して、上下方向に位置調整を可変とした。【選択図】  図１
2006025803.tif 000002
【特許請求の範囲】
【請求項１】
ベッド本体の一端側に立設されたヘッドボードに中間部材を介して補助ボードを連結し、前記中間部材は、前記ヘッドボード及び／または前記補助ボードに対して、上下方向に位置調整を可変とした、ベッド装置。
【請求項２】
一端部側にヘッドボードが立設されたベッド本体を２台併置し、共通の補助ボードを、第１の中間部材及び第２の中間部材を介して、夫々、一方及び他方のヘッドボードに連結し、前記中間部材の各々は、対応する前記ヘッドボード及び／または前記補助ボードに対して、上下方向に位置調整を可変とした、ベッド装置。
【請求項３】
前記補助ボードに所定の穴を穿設し、前記穴を通して前記補助ボードの裏側に位置する写真、絵画その他のアイテムを覗見できるようにしてなる、請求項１また請求項２のベッド装置。
【発明の詳細な説明】
【技術分野】
【０００１】
本発明は、ベッド装置に関し、特に、背凭れその他の手段として使用される補助ボードのヘッドボードへの装着構造に関する。
【背景技術】
【０００２】
ベッドを単なる就寝のためのツールとしてではなく、リクライニングチェアの代用として使用することが、近時、提案されている。
【０００３】
例えば、特許文献１に開示されたベッドにおいては、ヘッドボードを利用者が寄り掛かり易い角度に容易に変えることができるようにしている。すなわち、このベッドは、上面にマットレスが設けられるベッド本体と、このベッド本体の一端に設けられるヘッドボードとを有し、上記ヘッドボードは、収容部が前面に開放して形成された本体部と、上記収容部に設けられた取付け部材と、この取付け部材に下部が回動可能に連結されほぼ垂直な状態から倒伏方向へ回動するアームと、上部が上記アームの上部にアームの回動方向と逆方向に回動可能に連結されるとともに上記アームに対する開き角度が所定の範囲に制限され上記収容部に収容された状態と上記マットレス上で所定の角度で傾斜した状態とで保持される背凭れ体とを備えている。
【０００４】
また、特許文献２に示されるベッドにおいては、ベッドのヘッドボードの表面に位置するクッションの高さが調節可能となっており、そのための装置として、前記クッションに固定され重りに一端を結合された繊維製ストリップが設けられている。
【特許文献１】特開２００１−３５３０４３号公報
【特許文献２】特開２００３−２６５２６９号公報
【発明の開示】
【発明が解決しようとする課題】
【０００５】
しかして、特許文献１に開示の装置においては、使用時、背凭れ体がヘッドボードの前方に繰り出され、マットレス上で所定の角度で傾斜した状態に保持され、使用者がマットレス上で休息できるようになっている。しかしながら、背凭れ体がヘッドボードの前方に繰り出され、マットレス上で所定の角度で傾斜した状態に保持されたとき、背凭れ体の下端部とマットレス表面との間の距離が略一定なので、マットレス交換の場合、そのマットレスよりも厚いマットレスに交換することは出来ない。
【０００６】
また、特許文献２の開示の装置は、ベッドのヘッドボードの表面に位置するクッション高さ調整が可能であるから、特許文献１開示の装置のような不具合は惹起されないものの、クション体がヘッドボードの表面に沿って移動する構成であるので、マットレスに対する傾角が固定であり、クッション体のリクライニング機能を期待できない。
【０００７】
それ故に、本発明は、マットレスの高さが変わっても傾角調整可能な背凭れ部その他の補助ボードを供えたベッド装置を提供することを、その技術的課題とする。
【課題を解決するための手段】
【０００８】
上記の課題を解決するために請求項１で講じた第１の技術的手段は、
「ベッド本体の一端側に立設されたヘッドボードに中間部材を介して補助ボードを連結し、前記中間部材は、前記ヘッドボード及び／または前記補助ボードに対して、上下方向に位置調整を可変とした、ベッド装置。昇降可能なフレーム及び前記フレーム上に載置されているマットレスを備えたベッド装置と、前記マットレス上に横臥する者の動態を常時検知するセンサー装置と、前記センサー装置からの信号を解析して前記横臥者の爾後行動を予測し且つ前記予測に依拠して前記フレーム装置を上昇若しくは下降させるようにした制御装置とを備えた、就寝システム」
を構成したことである。
【０００９】
また、上記の課題を解決するために請求項２で講じた第２の技術的手段は、
「一端部側にヘッドボードが立設されたベッド本体を２台併置し、共通の補助ボードを、第１の中間部材及び第２の中間部材を介して、夫々、一方及び他方のヘッドボードに連結し、前記中間部材の各々は、対応する前記ヘッドボード及び／または前記補助ボードに対して、上下方向に位置調整を可変とした、ベッド装置。」
を構成したことである。
【００１０】
尚、上記の第１の技術的手段及び／または第２の技術的手段においては、請求項３に示すように、前記補助ボードに所定の穴を穿設し、前記穴を通して前記補助ボードの裏側に位置する写真、絵画その他のアイテムを覗見できるようにしても良い。
【発明の効果】
【００１１】
請求項１に記載の発明によれば、マットレスの高さに応じて、補助ボードの高さを調整することが出来る。また、中間部材を交換することによって、補助ボードの傾斜角を変更できる。
【００１２】
請求項２に記載の発明によれば、マットレスの高さに応じて、補助ボードの高さ及び補助ボードの傾斜角の双方を調整することが出来る他、補助ボードの長さを適宜調整して、双方のベッド本体を、所定の間隔をおいて、連結固定することが出来る。
【００１３】
請求項３に記載の発明によれば、写真、絵画その他のアイテムにより、ベッド装置の意匠性を向上させることが出来る。
【発明を実施するための最良の形態】
【００１４】
以下、本発明を実施するための最良の形態を、図面を基に説明する。
【００１５】
図１において、ベッド装置１０は、マットレス２０が載置されるベッド本体１２を備える。ベッド本体１２の一端側（ヘッド側）には、ヘッドボード１４が立設される。ヘッドボード１４の内表面には、背凭れ部たる補助ボード３０が中間部材４０を介して連結されている。中間部材４０のヘッドボード１４側はフラットに形成されるも、補助ボード３０側はマットレス２０乃至はベッド本体１２の上面に対して傾いており、補助ボード３０に傾斜が付与されている。しかして、後ほど詳しく述べるように、中間部材４０は、ヘッドボード１４及び補助ボード３０に対して分離可能となっているので、補助ボード３０側の傾角が異なる中間部材４０を用意することにより、補助ボード３０の傾斜角度を変更することが出来る。
【００１６】
図２及び図３に依拠して、補助ボード３０のヘッドボード１４への装着構造を説明する。ヘッドボード１４の左右両側には、上下方向に、等ピッチで５つのネジ穴１６Ａ・１６Ｂ・１６Ｃ・１６Ｄ・１６Ｅが貫設されている。また、補助ボード３０へネジ５０・５０にて着脱自在に固定された中間部材４０には、上下方向に２個のネジ受け穴４２Ａ・４２Ｂが形成されており、２個のネジ受け穴４２Ａ・４２Ｂ間のピッチは、ネジ穴１６Ａ・１６Ｃ間のピッチ（ネジ穴１６Ｃ・１６Ｅ間のピッチ）と同じとなっている。
【００１７】
しかして、ネジ６０Ａ・６０Ｂを、ヘッドボード１４のネジ穴１６Ａ・１６Ｃを螺着貫通させた後に、補助ボード３０のネジ受け穴４２Ａ・４２Ｂに螺着結合させると、図４に示すように、補助ボード３０の下端部の高さが高くなるので、厚みが大きいマットレス２２をベッド本体１２上に載置することが出来る。他方、ネジ６０Ａ・６０Ｂを、ヘッドボード１４のネジ穴１６Ｃ・１６Ｅを螺着貫通させた後に、補助ボード３０のネジ受け穴４２Ａ・４２Ｂに螺着結合させると、図５に示すように、補助ボード３０の下端部の高さが低くなるので、厚みが小さいマットレス２０をベッド本体１２上に載置することが出来る。尚、補助ボード３０は、図３に示されるように、他の意匠を施したもの３０Ａ・３０Ｂを採用することが出来る。
【００１８】
また、図６に示されるように、ベッド装置１０は、２台のベッド本体１２・１２を備える。各ベッド本体１２の一端側（ヘッド側）には、ヘッドボード１４が立設されており、双方のヘッドボード１４・１４が、中間部材４０Ａ・４０Ｂ・４０Ｃ・４０Ｄを介して、共通の補助ボード３０と連結することが出来る。ヘッドボード１４と各中間部材４０Ａ（４０Ｂ／４０Ｃ／４０Ｄ）と補助ボード３０との間の相互連結関係は、上記したヘッドボード１４と中間部材４０と補助ボード３０との間の相互連結関係と同じであり、マットレスの高さに応じて、補助ボード３０の高さを調整することが出来る。加えて、補助ボード３０の長さを適宜調整して、双方のベッド本体１２を、所定の間隔をおいて、連結固定することが出来る。
【００１９】
図７及び図８に示すように、補助ボード３０には穴３２が穿設されている。補助ボード３０の裏側には、写真３４を挟持する一対の透明アクリル板３８・３８が、ネジ４２・４２により、着脱自在に、固定されており、写真３４は、穴３２を通して、覗見できるようになっている。かように覗見できる写真３４は、ベッド装置の意匠性を向上させることが出来、また、写真３４を図示しない他の写真や、絵画その他のアイテムと適宜交換することにより、ベッド装置の意匠性に変化を与え、使用者の満足感を向上させることが出来る。しかして、上記一対の透明アクリル板３８・３８のうちの穴３２に近接しないものは、不透明であっても良いし、また、ネジ４２は、補助ボード側の鬼目ナット４４に螺着される。
【００２０】
尚、上記した実施形態例の他、図示こそしないが、下記のような実施形態を採用することが可能である。
【００２１】
（１）中間部材を廃して、補助ボードを、直接、ヘッドボードに上下方向位置可能に連結しても良い。この場合、背凭れとして使用する場合は、補助ボードの表面に傾斜を形成するのが望ましい。
【００２２】
（２）中間部材を可撓性材質で形成すれば、補助ボード背凭れとして使用する場合、クッション効果を呈することが出来る。
【図面の簡単な説明】
【００２３】
【図１】本発明の実施形態に係るベッド装置の部分説明図。
【図２】図１のベッド装置における、補助ボードのヘッドボードへの装着構造を説明する側面図。
【図３】図１のベッド装置における、補助ボードのヘッドボードへの装着構造を説明する分解斜視図。
【図４】図１のベッド装置における、補助ボードのヘッドボードへの高い位置での装着状態を説明する側面図。
【図５】図１のベッド装置における、補助ボードのヘッドボードへの低い位置での装着状態を説明する側面図。
【図６】図１のベッド装置における、補助ボードのヘッドボードへの装着構造を説明する側面図。
【図７】図１のベッド装置において、補助ボードから写真等を覗見できるようにした構造の分解斜視図。
【図８】図７の構造を横方向から見た分解図。
【符号の説明】
【００２４】
１０：ベッド装置
１４：ヘッドボード
２０：マットレス
２２：マットレス
３０：補助ボード
４０：中間部材
【図１】
2006025803.tif 000003
【図２】
2006025803.tif 000004
【図３】
2006025803.tif 000005
【図４】
2006025803.tif 000006
【図５】
2006025803.tif 000007
【図６】
2006025803.tif 000008
【図７】
2006025803.tif 000009
【図８】
2006025803.tif 000010